(57)【要約】    【課題】  鍵盤楽器の奥行に不要な空間を設けることなく、立倒させる操作が簡単で、十分な高さの譜面板を設置可能であって、かつ、譜面板を固定する際に天板等の表面を傷付けることのない譜面台装置を提供すること。      【解決手段】  設置台３２に譜面板３１を立倒自在に設けた譜面台装置３０において、譜面板３１の裏面と設置台３２をそれぞれ回動自在に固定する支持アーム３３と、譜面板３１の下端に設けた軸体３１ａと、該軸体３１ａを案内する案内路４３および始端部４１、落ち込み部４２を含むガイド部材４０とを備えさせ、軸体３１ａと落ち込み部４２とを係合可能に構成した。【選択図】    図１
2005115163.tif 000002
【特許請求の範囲】
【請求項１】
設置台に譜面板を立倒自在に設けた譜面台装置であって、
譜面板の裏面中間部に一端が固定され、他端が設置台に固定され、前記一端および他端が回動自在である支持アームと、
立設時における譜面板の下部に設けられた軸体と、
設置台に固着され、譜面板を立設及び倒伏させる際に前記軸体を案内するガイド部材とを備えており、
前記ガイド部材は、譜面板を立設及び倒伏させる動作の際に前記軸体を前後方向へ案内する案内路と、譜面板が立設姿勢に至ったときに前記軸体を譜面板の自重によって落ち込ませて該軸体と係合し、譜面板の立設姿勢を保持する落ち込み部とを備えていることを特徴とする譜面台装置。
【請求項２】
前記落ち込み部が、前記軸体を下方へ落ち込ませる下降部と、該下降部から屈曲した位置に前記軸体を受け入れることにより、立設した譜面板が倒伏状態に戻り難くする屈曲部とを備えていることを特徴とする請求項１に記載の譜面台装置。
【請求項３】
前記案内路が、譜面板の倒伏時に前記軸体が位置する始端部と、譜面板を立設させる際に前記軸体を前記落ち込み部まで案内する往路パスと、譜面板を倒伏させる際に前記軸体を前記落ち込み部から外し、前記始端部まで案内する帰路パスとを備えていることを特徴とする請求項２に記載の譜面台装置。
【発明の詳細な説明】
【技術分野】
【０００１】
本発明は、鍵盤楽器等の譜面台装置に関する。本発明を適用し得る鍵盤楽器としては、電子ピアノ、電子オルガン等の電子鍵盤楽器の他、アコースティックピアノ、パイプオルガン、チェンバロ、チェレスタ等、鍵盤や楽音制御用操作子を備えた楽器が含まれる。
【背景技術】
【０００２】
従来の鍵盤楽器の譜面台装置においては、天板上の譜面板を所定の角度に傾斜させて固定する場合、譜面板を一方の手で起こし、他方の手を譜面板の裏側に回して、所定角度支持用の支え部材を係合部に係合させる必要がある。同様に、譜面板を倒伏する際においても、両方の手で同様にして譜面台装置を操作する必要がある。
【０００３】
このような操作性についての欠点を解決すべく構成された譜面台装置として、例えば特開平１１−１０２１８０号公報（特許文献１）に記載の譜面台装置が知られている。この譜面台装置の構造では、設置台に存する譜面板の回動の中心が譜面板下部にあるので、譜面板を後方に倒した状態において、譜面板が天板の奥行長を超えない程度の高さに設定する必要がある。すなわち、譜面板の高さを大きくした場合、天板の奥行長を超えた譜面板の一部が鍵盤楽器の後方から飛び出した状態となり、鍵盤楽器を設置するために奥行き方向について不必要な空間を設ける必要が生じる。
【０００４】
このような不必要な空間が生じないような譜面台装置の例としては、例えば実開平６−８２６９０号公報（特許文献２）に記載の譜面台装置がある。この譜面台装置３００は、図１２（Ａ）に示すように、譜面板３０１および天板３０２，支持部材３０３を備えており、譜面板３０１の下端には差し込みピン３０４が、天板３０２にはピン受け具３０５が設けられている。譜面板３０１および天板３０２は支持部材３０３とそれぞれ回動端３０３ａ、３０３ｂを介して回動自在に取り付けられており、差し込みピン３０４をピン受け具３０５に差し込んで係止することにより、譜面板３０１を立設させた状態に固定する。この状態で、譜面板３０１と譜面受け３０６とによって、譜面を立てかけて使用する。さらに、譜面板３０１を折り畳む際には、図１２（Ｂ）に示すように、差し込みピン３０４をピン受け具３０５から抜き、譜面板３０１を手前側に移動させ、後方に倒しながら折り畳む。譜面台装置をこのような構造にすることによって、奥行き寸法が短い鍵盤楽器であっても譜面板がはみ出ず、コンパクトに収納することが可能となる。
【特許文献１】特開平１１−１０２１８０号公報
【特許文献２】実開平６−８２６９０号公報
【発明の開示】
【発明が解決しようとする課題】
【０００５】
しかしながらこのような譜面台装置においても、譜面板を固定させる際に、譜面板を一方の手で起こし、他方の手で差し込みピンをピン受け具に差し込むように操作する必要がある。
【０００６】
また、譜面板の下端部に設けられた差し込みピンが天板に対して突起しているため、譜面板の使用時において、天板表面を傷つけてしまうという問題もあった。
【０００７】
本発明は、前述のような問題を解決するためになされたものであり、譜面板の立倒を操作性良く行うことが可能であって、しかも、鍵盤楽器の奥行き寸法が短くとも、十分な高さの譜面板を使用することができ、かつ、譜面板を固定する際に天板等の表面を傷付けることのない譜面台装置を提供することを目的としている。
【課題を解決するための手段】
【０００８】
本発明は、上記目的を達成するために、設置台に譜面板を立倒自在に設けた譜面台装置であって、譜面板の裏面中間部に一端が固定され、他端が設置台に固定され、前記一端および他端が回動自在である支持アームと、立設時における譜面板の下部に設けられた軸体と、設置台に固着され、譜面板を立設及び倒伏させる際に前記軸体を案内するガイド部材とを備えており、前記ガイド部材は、譜面板を立設及び倒伏させる動作の際に前記軸体を前後方向へ案内する案内路と、譜面板が立設姿勢に至ったときに前記軸体を譜面板の自重によって落ち込ませて該軸体と係合し、譜面板の立設姿勢を保持する落ち込み部とを備えていることを特徴とする譜面台装置を提案している。
【０００９】
譜面台装置をこのように構成することで、譜面板の立倒を簡単に操作可能とすると同時に、譜面板の高さを設置台の奥行長に制限されずに設定することができる。さらに、譜面板を支持する部材（支持アームおよびガイド部材）が設置台に固着されており、差し込みピンのような突起した係合部材を用いずに譜面板を立設することができるため、譜面板を操作した際に鍵盤楽器の屋根部分等を傷つけることがない。
【００１０】
このような鍵盤楽器において、前記落ち込み部は、前記軸体を下方へ落ち込ませる下降部と、該下降部から屈曲した位置に前記軸体を受け入れることにより、立設した譜面板が倒伏状態に戻り難くする屈曲部とを備えていることが好ましい。これによって、立設した譜面板がより安定した位置で保持される。
【００１１】
また、前記案内路が、前記譜面板の倒伏時に前記軸体が位置する始端部と、前記譜面板を立設させる際に前記軸体を前記落ち込み部まで案内する往路パスと、前記譜面板を倒伏させる際に前記軸体を前記落ち込み部から外し、前記始端部まで案内する帰路パスとを備えていてもよい。これによって、落ち込み部から軸体を解放する際に、譜面板を持ち上げる必要なく、極めて簡易に譜面板を倒伏する操作を行うことができる。
【発明の効果】
【００１２】
以上の説明で明らかなように、本発明に係る譜面台装置によると、立倒させる操作が簡単で、鍵盤楽器の奥行に不要な空間を設けることなく、十分な高さの譜面板を設置可能であり、かつ、譜面板を固定する際に天板等の表面を傷付けることがないという効果が得られる。
【発明を実施するための最良の形態】
【００１３】
以下、本発明を電子鍵盤楽器に適用した実施形態について添付図面を参照しつつ説明する。なお説明に用いる図面においては、同一又は同種の部分に同じ番号を付して説明を省略することがある。
図１は、電子鍵盤楽器１の縦側面図であり、譜面板が倒伏された状態を示している。図１において、電子鍵盤楽器１は、操作子としての白鍵３及び黒鍵４、楽音の発生及び制御のための電子回路（図示省略）等を備え、これらを楽器本体に収容している。楽器本体は、鍵盤や電子回路等のケースの底部を形成する支持板５、その前端（演奏者側）の口棒６、背面の背板７、左右両側部の側板８、メインスピーカ１３を収容したスピーカボックス１４、支持板５から下方へ延びた脚１９等を備えている。楽器本体のケースの中には、図示を省略した楽音の制御装置、そのためのスイッチやコントローラ、電源装置、液晶ディスプレイ、接続端子等が装着されている。鍵盤及びその後方部分は、蓋体２により覆われる。蓋体２は、前後に分割され折りたたみ自在に結合された前蓋２１及び後蓋２２を備えている。
【００１４】
図２（Ａ）および（Ｂ）は、図１に示す譜面台装置３０について拡大した断面図を、図３（Ａ）および（Ｂ）は、譜面台装置３０の平面図および正面図を示している。なお、図２（Ａ）は、図３（Ａ）のIIＡ−IIＡ線に沿う断面を示し、図３（Ｂ）は図３（Ａ）のIIIＢ−IIIＢ線に沿う断面を示す。譜面台装置３０は、譜面板３１と、設置台３２、支持アーム３３およびガイド部材４０を備えており、鍵盤楽器１の上部に固定されている。この例では、設置台３２は鍵盤楽器１の天板となっている。さらに設置台３２には、譜面板３１の立設状態において、該譜面板３１の下端部の下方に設置台を斜めに凹入させて形成した譜面受け３４が設けられている。譜面板３１は、使用時または不使用時に応じて、一端が設置台３２の面上を摺動する。より正確には、譜面板３１の下部に設けられたスライド軸（後述する軸体３１ａ）がガイド部材４０に備えられた案内路（後述する案内路４３）を摺動する。こうして、所定角度での立倒状態、及び設置台３２に接するような倒伏状態を取り得る。また、支持アーム３３の一端３３ａは譜面板３１の裏面側に、他端３３ｂは設置台３２上に、それぞれ回動可能に固定されている。
【００１５】
ガイド部材４０は、設置台３２の奥行き方向に延びるように形成された凹所において、ビス等の固定手段によって取り付けられている。ガイド部材４０は、譜面板３１の下部に設けられた軸体３１ａを始端部４１から落ち込み部４２まで案内する案内路４３を備えている。軸体３１ａを設ける位置は、立設時における譜面板３１の下側、より詳細には、譜面板３１の立設時における下端部側面付近が好ましい。さらに、軸体３１ａは譜面板３１と一体に設けられていてもよいし、別体（例えば取付部材等）を用いて取り付けられていてもよい。
【００１６】
譜面板３１が倒伏している時は軸体３１ａは始端部４１に位置しており、譜面板３１を起き上がらせると、軸体３１ａは案内路４３を摺動して落ち込み部４２まで到達する。落ち込み部４２に到達した軸体３１ａは、譜面板３１の自重で落ち込み部４２に進入し、該落ち込み部４２と係合する。軸体３１ａが落ち込み部４２と係合することによって、譜面板３１は所定角度に固定される。図２（Ｂ）は、軸体３１ａが落ち込み部４２と係合し、譜面板３１が所定角度で固定されて立設した状態を示している。
【００１７】
次に、譜面板３１を立設した状態から、倒伏した状態に戻す場合の動作について説明する。図２（Ｂ）において、軸体３１ａは落ち込み部４２において係止しているが、この状態で譜面板３１を少し上に持ち上げると、落ち込み部４２と軸体３１ａとの係合状態が解放され、軸体３１ａは落ち込み部４２の手前の案内路４３に移動する。譜面板３１をさらに倒伏するように動作させると、軸体３１ａは案内路４３を摺動して始端部４１まで到達する。このとき、譜面板３１は倒伏した状態となる。
【００１８】
なお、案内路４３は、軸体３１ａをガイドするために、軸体３１ａの軸径よりわずかに幅の広い溝状の形状であり、さらに、軸体３１ａが摺動する際に引っ掛かり等が起こらないように、ほぼ直線上か、やや湾曲した形状であることが好ましい。
以上、説明した構成によって、譜面板３１の高さを高くしても、設置台の奥行き（または鍵盤楽器１の奥行き）を越えて譜面板が倒伏することがなく、しかも簡単に譜面板の立倒操作を行うことができる。また、譜面板を傾斜した状態に保持する部材として、差し込みピンのような突起物を用いていないため、譜面板の操作時に設置台（天板）表面を傷つけることがない。
【００１９】
図４は、本発明に係る譜面台装置の第二の実施形態を示している。図４において、落ち込み部４２は、軸体３１ａをさらに下方へ落ち込ませる下降部４２ａと、下降部４２ａから屈曲した位置に前記軸体を受け入れるための屈曲部４２ｂとを備えている。軸体３１ａは、下降部４２ａに落ち込んだ後、譜面板３１自身の重さが、後方に傾斜して斜めに進入する。すなわち、譜面板３１の中央部よりやや下方のアームの一端３３ａに支持されていることによって、譜面板３１の重力作用にて軸体３１ａが自然に下降部４２ａから屈曲部４２ｂの進入方向に移動し、より安定した位置に留まる。この実施形態においては、屈曲部４２ｂは、下降部４２ａからやや下向きの傾斜を伴って前方（手前側）へ屈曲している。
【００２０】
なお図４において、Ｐ1は譜面板３１の倒伏時における該譜面板３１の上端の位置を、Ｐ2は譜面板３１の下端が譜面板３１の立設時において仮に固定されているとした場合に、譜面板３１の倒伏時における前記上端の到達位置を表している。このＰ1およびＰ2の水平方向の距離の差Ｌ1は、軸体３１ａがガイド部材４０によって導かれた距離のうちの水平方向の移動距離Ｌ2に相当する。すなわち、前記Ｐ１およびＰ２の水平方向についての距離の差を大きくすればするほど、奥行長に比して譜面板を高く設計することが可能になる。
【００２１】
次に、本発明の第三の実施形態について図５〜図９を参照しつつ説明する。図５に示す実施形態において、ガイド部材４０内においては、案内路４３は、始端部４１と落ち込み部４２との間を連通する２つのパス（往路パス４３ａおよび帰路パス４３ｂ）によって構成されている。さらに、譜面板３１に固着した軸体３１ａを始端部４１から往路パス４３ａに導く際に、軸体３１ａが帰路パス４３ｂへ入り込まないように、薄型に形成して弾性をもたせた配向部材４４が設けられている。該配向部材４４は、往路パス４３ａの始端部４１寄り部分の下壁を形成するとともに、帰路パス４３ｂの始端部４１近くの上方を覆うように形成されている。これによって、配向部材４４は往路パス４３ａと帰路パス４３ｂとを分別する役割を果たす。また、配向部材４４は軸体３１ａが帰路４３ｂから始端部４１に戻ることが可能とするような、一種の弁機能を有する。すなわち、配向部材４４は軸体３１ａが始端部４１から往路パス４３ａに進入する際には、軸体３１ａの支えとして作用し、軸体３１ａが帰路パス４３ｂから始端部４１に戻る際には、撓むように持ち上げられて軸体３１ａを通過させる。
【００２２】
往路パス４３ａの終端は、奥方向へ丸味をもって湾曲して下降する下降部４２ａと、該下降部４２ａからさらに延び、その先が僅かに下降する屈曲部４２ｂへと続く。上述のように、往路パス４３ａの終端に丸味を持たせた理由は、手押しによる単純な立設動作のみで、運動物体のベクトル方向を下向きに変動し得るようにするためである。下降部４２ａは、その湾曲面に沿って軸体３１ａを下降させ、屈曲部４２ｂへと案内する。帰路パス４３ｂは、屈曲部４２ｂの後方寄りの底面に開いた状態にその入口４３ｂ（１）が位置しており、丸味をもって下方へ湾曲するように形成された後、略水平に延びる部分へとつながっている。以下、往路パス４３ａおよび帰路パス４３ｂを軸体３１ａが通過する様子を説明する。
【００２３】
図５に示すように、譜面板３１の倒伏時において、始端部４１に位置する軸体３１ａは、譜面板３１が立設されるに従って往路パス４３ａを下降部４２ａへ向かって摺動する。この状態から、軸体３１ａが下降部４２ａに進入すると、軸体３１ａは譜面板３１の自重によりさらに屈曲部４２ｂへ落ち込んで屈曲部４２ｂの奥へと進入する。屈曲部４２ｂは、下降部４２ａよりもわずかに下方に位置し、かつ湾曲するように形成されているため、軸体３１ａは帰路パス４３ｂの入口４３ｂ（１）を飛び越えて屈曲部４２ｂと係合する。この係合によって譜面板３１は所定の角度に立設させるように固定される。このときの譜面台装置３０の様子を図６（Ａ）に示す。なお、図６（Ｂ）に示すように、往路パス４３ａから下降部４２ａに入り込んだ軸体３１ａが、帰路パス４３ｂの入口４３ｂ（１）を飛び越えて屈曲部４２ｂに進入するためには、下降部４２ａの終点付近と、屈曲部４２ｂの入口付近とに若干の段差Δｄを設けるように設計するのが好ましい。
【００２４】
次に、譜面板３１を倒伏させる際の動作を説明する。譜面板３１の上端を手前側に移動させるように傾けると、軸体３１ａが後方へ移動して屈曲部４２ｂから解放され、帰路パス４３ｂの入口に入る（図７参照）。このとき、譜面板３１の自重のために往路パス４３ａに戻ることはない。帰路パス４３ｂは、入口付近が丸味をもって下方へ湾曲するように形成されているため、落ち込み部４２から解放された軸体は、譜面板３１の自重によって円滑に帰路パス４３ｂに導かれる。
【００２５】
譜面板３１を倒伏するに従って、軸体３１ａは帰路パスを通って始端部４１に向かって摺動し（図８参照）、配向部材４４を押し撓めて始端部４１に戻る。このとき、譜面板３１は倒伏された状態で設置台３２とほぼ平行となる。配向部材４４は、軸体３１ａによって押し撓められる程度に可撓性を有しており、ガイド部材４０全体を樹脂で一体に成形し、当該部分を薄型に形成することで、弾性を生じさせている。なお、配向部材４４の耐久性を増大させるために、配向部材４４をガイド部材４０とは別体の金属板としてもよく、また、棒状やその他の形状としてもよい。
【００２６】
このように、案内路４３を往路パス４３ａ、帰路パス４３ｂの２つのパスに構成することで、軸体３１ａが落ち込み部４２に係合することによって譜面板３１が固定された状態を、譜面板３１を僅かに移動させるだけで解除することができる。
【００２７】
次に、本発明の第四の実施形態について、図９を参照しつつ説明する。本実施形態の特徴は、軸体３１ａを案内する案内路を含むガイド部材を、設置台３２（天板）の厚みの中に含めるように構成した点である。以下、詳細に説明する。なお、図９の説明においては、図１〜８に示す同一又は同種の部分に同じ番号を付して説明を省略することがある。
【００２８】
図９（Ａ）に示すように、ガイド部材４００は案内路４３０を備えており、譜面板３１の倒伏時において、軸体３１ａは案内路４３０の始端部４１に位置している。案内路４３０は、始端部４１から奥方向に進むにつれてやや上方に傾斜し、途中から水平になるように形成されている。このように、案内路４３０の一部を手前から奥方向について上向きに傾斜させることで、ガイド部材４００の上下方向の厚みを比較的薄く形成することができるという長所がある。ただし、ガイド部材４００の厚みが問題とならない場合においては、案内路４３０に傾斜を設けずに、水平となるように形成してもよい。
【００２９】
また、ガイド部材４００を上方から覆うように、設置台３２の上面にはフランジ部３２ａが設けられている。フランジ部３２ａは、設置台３２と一体的に設けられ、ガイド部材４００および軸体３１ａの一部の上部を覆う。すなわち、フランジ３２ａは、ガイド部材４００に対しての落ち込み防止手段として機能する。なお、ガイド部材４００を設置台３２に取り付ける際に、設置台（天板）３２の下面からねじ等でフランジ部３２ａに押しつけるように固定する。これによって、ガイド部材４００の取り付け位置が容易に定まる。
【００３０】
次に、図９（Ｂ）において、軸体３１ａを案内路４３０に沿って奥行き方向に移動させ、屈曲部４２ｂに係合させることで、譜面板３１を立設させた状態を示す。なお、譜面板３１の下端付近において、譜面受け部３４には水平に近い傾斜面から斜めに立ち上がった段差部３４ａが設けられており、段差部３４ａは立設した譜面板３１の表面と同一平面上に位置して譜面（図示せず）の支持面を構成する。また、譜面板３１が倒伏する際に、段差部３４ａが譜面板３１の下端部と接触することなく動くことができるように、段差部３４ａと譜面板３１との間には、若干の隙間が設けられている。
【００３１】
また、譜面受け部３４の一部に、譜面止め３５が倒伏自在に設けられていてもよく、該譜面止め３５は、譜面板３１を立設させ、譜面（図示せず）を譜面板３１および譜面受け部３４に対して載置した時に、譜面をずり落ちないように支持するように作用する。譜面止め３５は譜面受け部３４の幅方向について１〜数カ所設けられており、譜面板の幅方向に回動して立設および倒伏可能である。
【００３２】
このように、本実施形態においては、ガイド部材４００および譜面受け部３４、さらには譜面止め３５が、設置台３２の上下方向の厚み内に収められるため、ガイド部材や案内路が天板より上に突出する構造とならない。そのため、譜面板３１の倒伏時にガイド部材等に手が引っ掛かったりすることがなく、安全に操作することができる。
【図面の簡単な説明】
【００３３】
【図１】本発明に係る鍵盤楽器の第一の実施形態に関する内部構造を示す縦側面図である。
【図２】図１に示す第一の実施形態の譜面台装置部分の拡大断面図である。
【図３】図１に示す第一の実施形態の平面図および正面図である。
【図４】本発明に係る譜面台装置の第二の実施形態を示す縦断面図である。
【図５】本発明に係る譜面台装置の第三の実施形態を示す縦断面図である。
【図６】図５に示す譜面台装置において、譜面板が所定角度に傾斜して固定された様子を示す縦断面図である。
【図７】図５に示す譜面台装置において、譜面板が閉じられていく途中経過を示す縦断面図である。
【図８】図５に示す譜面台装置において、譜面板が閉じられていく途中経過を示す縦断面図である。
【図９】本発明に係る譜面台装置の第四の実施形態を示す縦断面図である。
【図１０】従来の譜面台装置の他の例を示す縦断面図である。
【符号の説明】
【００３４】
１ 鍵盤楽器    ３０ 譜面台装置    ３１ 譜面板    ３１ａ 軸体    ３２ 設置台    ３３ 支持アーム    ４０，４００ ガイド部材    ４１ 始端部    ４２ 落ち込み部    ４２ａ 下降部    ４２ｂ 屈曲部    ４３ 案内路    ４３ａ 往路パス    ４３ｂ 帰路パス    ４４ 配向部材
【図１】
2005115163.tif 000003
【図２】
2005115163.tif 000004
【図３】
2005115163.tif 000005
【図４】
2005115163.tif 000006
【図５】
2005115163.tif 000007
【図６】
2005115163.tif 000008
【図７】
2005115163.tif 000009
【図８】
2005115163.tif 000010
【図９】
2005115163.tif 000011
【図１０】
2005115163.tif 000012